【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
ユーザ機器(UE)における電池消費量を削減するための方法であって、
前記UEにおいて、アップリンク(UL)チャネル上で10ms送信モードを構成するステップと、
前記10ms送信モードの構成を前記UEと通信している基地局に指示するステップと、
20ms送信時間間隔(TTI)に関連付けられる20ms送信を10ms圧縮送信に圧縮するステップと、
前記20msTTIの第1の10ms中に前記10ms圧縮送信を送信するステップと、
前記20msTTIの第2の10ms中に前記ULチャネルの不連続送信(DTX)を実行するステップと、
早期ブロック誤り率(BLER)ターゲットスロットにおいて、ダウンリンク(DL)専用物理チャネル(DPCH)の復号を実行するステップであって、前記早期BLERターゲットスロットは、関連付けられるターゲットBLER値を伴う前記TTI内のタイムスロットである、ステップと、
前記DL DPCHの前記復号が成功したと判定することに応答して、前記20msTTIの第2の10ms中に前記UEにおいて不連続受信(DRX)を実行するステップであって、前記DL DPCHの復号は、前記DL DPCHの復号成功率が前記関連付けられるターゲットBLER値を満たす場合に、成功であると判定される、ステップと
を含む、方法。
【請求項２】
前記基地局における早期BLERターゲットに達した後に、前記20msTTIの前記第2の10ms中に前記DL DPCHは受信されない、請求項1に記載の方法。
【請求項３】
前記早期BLERターゲットは、スロット15において1%の値に設定される、請求項2に記載の方法。
【請求項４】
前記20msTTIの前記第2の10ms中に前記基地局への送信電力制御(TPC)コマンドの送信を一時停止するステップをさらに含む、請求項1に記載の方法。
【請求項５】
前記10ms送信モードの前記構成を前記基地局に指示するステップは、トランスポートフォーマットコンビネーションインジケータ(TFCI)を介して指示するステップを含む、請求項1に記載の方法。
【請求項６】
前記TFCIの最上位ビット(MSB)が、TFCI値を指示するために使用される、請求項5に記載の方法。
【請求項７】
ユーザ機器(UE)における電池消費量を削減するための装置であって、
前記UEにおいて、アップリンク(UL)チャネル上で10ms送信モードを構成するための手段と、
前記10ms送信モードの構成を、前記UEと通信している基地局に指示するための手段と、
20ms送信時間間隔(TTI)に関連付けられる20ms送信を10ms圧縮送信に圧縮するための手段と、
前記20msTTIの第1の10ms中に前記10ms圧縮送信を送信するための手段と、
前記20msTTIの第2の10ms中に前記ULチャネルの不連続送信(DTX)を実行するための手段と、
早期ブロック誤り率(BLER)ターゲットスロットにおいて、ダウンリンク(DL)専用物理チャネル(DPCH)の復号を実行するための手段であって、前記早期BLERターゲットスロットは、関連付けられるターゲットBLER値を伴う前記TTI内のタイムスロットである、手段と、
前記DL DPCHの前記復号が成功したと判定することに応答して、前記20msTTIの第2の10ms中に前記UEにおいて不連続受信(DRX)を実行するための手段であって、前記DL DPCHの復号は、前記DL DPCHの復号成功率が前記関連付けられるターゲットBLER値を満たす場合に、成功であると判定される、手段と
を備える、装置。
【請求項８】
前記基地局における早期BLERターゲットに達した後に、前記20msTTIの前記第2の10ms中に前記DL DPCHは受信されない、請求項7に記載の装置。
【請求項９】
前記早期BLERターゲットは、スロット15において1%の値に設定される、請求項8に記載の装置。
【請求項１０】
前記20msTTIの前記第2の10ms中に前記基地局への送信電力制御(TPC)コマンドの送信を一時停止するための手段をさらに備える、請求項7に記載の装置。
【請求項１１】
指示するための前記手段は、トランスポートフォーマットコンビネーションインジケータ(TFCI)を介して前記構成された送信モードを前記基地局に指示するようにさらに構成される、請求項7に記載の装置。
【請求項１２】
前記TFCIの最上位ビット(MSB)が、TFCI値を指示するために使用される、請求項11に記載の装置。
【請求項１３】
ユーザ機器(UE)における電池消費量を削減するためのコンピュータ実行可能コードを記憶する非一時的コンピュータ可読媒体であって、
前記UEにおいて、アップリンク(UL)チャネル上で10ms送信モードを構成するためのコードと、
前記10ms送信モードの構成を、前記UEと通信している基地局に指示するためのコードと、
20ms送信時間間隔(TTI)に関連付けられる20ms送信を10ms圧縮送信に圧縮するためのコードと、
前記20msTTIの第1の10ms中に前記10ms圧縮送信を送信するためのコードと、
前記20msTTIの第2の10ms中に前記ULチャネルの不連続送信(DTX)を実行するためのコードと、
早期ブロック誤り率(BLER)ターゲットスロットにおいて、ダウンリンク(DL)専用物理チャネル(DPCH)の復号を実行するためのコードであって、前記早期BLERターゲットスロットは、関連付けられるターゲットBLER値を伴う前記TTI内のタイムスロットである、コードと、
前記DL DPCHの前記復号が成功したと判定することに応答して、前記20msTTIの第2の10ms中に前記UEにおいて不連続受信(DRX)を実行するためのコードであって、前記DL DPCHの復号は、前記DL DPCHの復号成功率が前記関連付けられるターゲットBLER値を満たす場合に、成功であると判定される、コードと
を含む、非一時的コンピュータ可読媒体。
【請求項１４】
前記基地局における早期BLERターゲットに達した後に、前記20msTTIの前記第2の10ms中に前記DL DPCHが受信されない、請求項13に記載のコンピュータ可読媒体。
【請求項１５】
前記早期BLERターゲットは、スロット15において1%の値に設定される、請求項14に記載のコンピュータ可読媒体。
【請求項１６】
前記20msTTIの前記第2の10ms中に前記基地局への送信電力制御(TPC)コマンドの送信を一時停止するためのコードをさらに含む、請求項13に記載のコンピュータ可読媒体。
【請求項１７】
前記UEは、トランスポートフォーマットコンビネーションインジケータ(TFCI)を介して前記構成された送信モードを前記基地局に指示する、請求項13に記載のコンピュータ可読媒体。
【請求項１８】
前記TFCIの最上位ビット(MSB)が、TFCI値を指示するために使用される、請求項17に記載のコンピュータ可読媒体。
【請求項１９】
ユーザ機器(UE)における電池消費量を削減するための装置であって、
メモリと、
前記メモリに結合される少なくとも1つプロセッサとを備え、前記少なくとも1つのプロセッサは、
前記UEにおいて、アップリンク(UL)チャネル上で10ms送信モードを構成することと、
前記10ms送信モードの構成を、前記UEと通信している基地局に指示することと、
20ms送信時間間隔(TTI)に関連付けられる20ms送信を10ms圧縮送信に圧縮することと、
前記20msTTIの第1の10ms中に前記10ms圧縮送信を送信することと、
前記20msTTIの第2の10ms中に前記ULチャネルの不連続送信(DTX)を実行することと、
早期ブロック誤り率(BLER)ターゲットスロットにおいて、ダウンリンク(DL)専用物理チャネル(DPCH)の復号を実行することあって、前記早期BLERターゲットスロットは、関連付けられるターゲットBLER値を伴う前記TTI内のタイムスロットである、ことと、
前記DL DPCHの前記復号が成功したと判定することに応答して、前記20msTTIの第2の10ms中に前記UEにおいて不連続受信(DRX)を実行することであって、前記DL DPCHの復号は、前記DL DPCHの復号成功率が前記関連付けられるターゲットBLER値を満たす場合に、成功であると判定される、ことと
を行うように構成される、装置。
【請求項２０】
前記基地局における早期BLERターゲットに達した後に、前記20msTTIの前記第2の10ms中に前記DL DPCHは受信されない、請求項19に記載の装置。
【請求項２１】
前記早期BLERターゲットは、スロット15において1%の値に設定される、請求項20に記載の装置。
【請求項２２】
前記少なくとも1つのプロセッサが、
前記20msTTIの前記第2の10ms中に前記基地局への送信電力制御(TPC)コマンドの送信を一時停止するようにさらに構成される、請求項19に記載の装置。
【請求項２３】
前記少なくとも1つのプロセッサは、トランスポートフォーマットコンビネーションインジケータ(TFCI)を介して前記構成された送信モードを前記基地局に指示するようにさらに構成される、請求項19に記載の装置。
【請求項２４】
前記TFCIの最上位ビット(MSB)が、TFCI値を指示するために使用される、請求項23に記載の装置。